【手続補正書】
【提出日】平成19年12月26日(2007.12.26)
【手続補正１】
【補正対象書類名】明細書
【補正対象項目名】発明の名称
【補正方法】変更
【補正の内容】
【発明の名称】コンバイン
【手続補正２】
【補正対象書類名】明細書
【補正対象項目名】特許請求の範囲
【補正方法】変更
【補正の内容】
【特許請求の範囲】
【請求項１】  走行装置（２）を備えた機体フレーム（１）の上側に脱穀装置（３）を設け、該脱穀装置（３）の前側に刈取部（４）を設け、該刈取部（４）に、最前方位置に左右に複数並設した分草装置（１０）と、該分草装置（１０）の後方に複数並設した穀稈を引き起こすラグ式の引起装置（１１）と、該引起装置（１１）の後側に設けた穀稈を切断する刈刃（１２）と、該刈刃（１２）の上側から後方に穀稈を搬送する穀稈搬送装置（１３）とを設け、機体フレーム（１）側の支持台（２４）に回動自在に設けた縦支持フレーム（２２）の先端側に固定フレーム（２６）を設け、該固定フレーム（２６）に対して移動する移動フレーム（２７）を設け、該移動フレーム（２７）側に分草装置（１０）と引起装置（１１）を設けて引起ユニット（２８）を構成し、該引起ユニット（２８）を刈取部（４）の上部の任意の固定部分に設けた回動中心（Ｓ）を中心として上方回動可能な構成としたことを特徴とするコンバイン。
【請求項２】  前記引起ユニット（２８）は、前記固定フレーム（２６）に取付けた状態では、引起装置（１１）の上部付近の任意の固定部分に設けた回動中心（Ｓ）を中心として上方回動し、前記固定フレーム（２６）から外れると前後移動可能となる構成とし、該引起ユニット（２８）を上方回動させる動力手段と該引起ユニット（２８）を前後移動させる動力手段とを兼用する構成としたことを特徴とする請求項１記載のコンバイン。
【請求項３】  前記引起ユニット（２８）の引起装置（１１）の下部を支持するフレームと固定フレーム（２６）の間に下部リンク機構（５０）を設け、該下部リンク機構（５０）を構成する前側アーム（５１）と後側アーム（５３）の軸（５２）による軸着部分を、前記フレームの取付部分よりも上方に配置したことを特徴とする請求項１または請求項２記載のコンバイン。
【請求項４】  前記下部リンク機構（５０）を引起ユニット（２８）と固定フレーム（２６）の左右両側に夫々設けたことを特徴とする請求項１または請求項２または請求項３記載のコンバイン。
【請求項５】  前記固定フレーム（２６）には、引起ユニット（２８）の上部伝動ケース（３９）を支持する受部（４４）と該受部（４４）に上部伝動ケース（３９）を回転のみ自在に固定する押え杆（４５）を有する懸架装置（４３）を左右一対設け、引起ユニット（２８）の回動中心（Ｓ）である上部伝動ケース（３９）を着脱自在および回動自在な構成としたことを特徴とする請求項１または請求項２または請求項３または請求項４記載のコンバイン。
【手続補正３】
【補正対象書類名】明細書
【補正対象項目名】０００４
【補正方法】変更
【補正の内容】
【０００４】
【課題を解決するための手段】
請求項１記載の発明は、走行装置（２）を備えた機体フレーム（１）の上側に脱穀装置（３）を設け、該脱穀装置（３）の前側に刈取部（４）を設け、該刈取部（４）に、最前方位置に左右に複数並設した分草装置（１０）と、該分草装置（１０）の後方に複数並設した穀稈を引き起こすラグ式の引起装置（１１）と、該引起装置（１１）の後側に設けた穀稈を切断する刈刃（１２）と、該刈刃（１２）の上側から後方に穀稈を搬送する穀稈搬送装置（１３）とを設け、機体フレーム（１）側の支持台（２４）に回動自在に設けた縦支持フレーム（２２）の先端側に固定フレーム（２６）を設け、該固定フレーム（２６）に対して移動する移動フレーム（２７）を設け、該移動フレーム（２７）側に分草装置（１０）と引起装置（１１）を設けて引起ユニット（２８）を構成し、該引起ユニット（２８）を刈取部（４）の上部の任意の固定部分に設けた回動中心（Ｓ）を中心として上方回動可能な構成としたことを特徴とするコンバインとしたものである。
走行装置２により圃場を走行し、刈取部４の分草装置１０が圃場の穀稈を分草し、分草された穀稈は引起装置１１により引き起こされ、引き起こされた穀稈が刈刃１２により切断され、穀稈搬送装置１３により穀稈を搬送し、脱穀室に穀稈が供給されて脱穀し、畦際では複数並設した分草装置１０と引起装置１１の引起ユニット２８を上方回動させて刈刃１２の前側を開放し、メンテナンス作業を容易に行える。
請求項２記載の発明は、前記引起ユニット（２８）は、前記固定フレーム（２６）に取付けた状態では、引起装置（１１）の上部付近の任意の固定部分に設けた回動中心（Ｓ）を中心として上方回動し、前記固定フレーム（２６）から外れると前後移動可能となる構成とし、該引起ユニット（２８）を上方回動させる動力手段と該引起ユニット（２８）を前後移動させる動力手段とを兼用する構成としたことを特徴とする請求項１記載のコンバインとしたものである。
固定フレーム２６に対して取付状態のまま、動力手段を作動させると、引起ユニット２８は回動中心Ｓを中心として上下回動し、固定フレーム２６から外して動力手段を作動させると、引起ユニット２８は前後移動する。
請求項３記載の発明は、前記引起ユニット（２８）の引起装置（１１）の下部を支持するフレームと固定フレーム（２６）の間に下部リンク機構（５０）を設け、該下部リンク機構（５０）を構成する前側アーム（５１）と後側アーム（５３）の軸（５２）による軸着部分を、前記フレームの取付部分よりも上方に配置したことを特徴とする請求項１または請求項２記載のコンバインとしたものである。
引起ユニット２８の引起装置１１の下部を支持するフレーム（分草杆３５）に取付けた前側アーム５１と、固定フレーム２６に取付けた後側アーム５３とが軸５２中心に、引起ユニット２８の上下回動および前後移動に際して回動して引起ユニット２８を支持する。下部リンク機構５０は引起ユニット２８を元に戻した通常作業状態のときにリンク支点の軸５２が上方となるので、刈取作業時藁屑の堆積（引っ掛かり）が少なく、穀稈搬送に影響しないで、フレーム剛性を向上させる。
請求項４記載の発明は、前記下部リンク機構（５０）を引起ユニット（２８）と固定フレーム（２６）の左右両側に夫々設けたことを特徴とする請求項１または請求項２または請求項３記載のコンバインとしたものである。
これによりフレーム剛性をバランスよく向上させる。
請求項５記載の発明は、前記固定フレーム（２６）には、引起ユニット（２８）の上部伝動ケース（３９）を支持する受部（４４）と該受部（４４）に上部伝動ケース（３９）を回転のみ自在に固定する押え杆（４５）を有する懸架装置（４３）を左右一対設け、引起ユニット（２８）の回動中心（Ｓ）である上部伝動ケース（３９）を着脱自在および回動自在な構成としたことを特徴とする請求項１または請求項２または請求項３または請求項４記載のコンバインとしたものである。
懸架装置４３に引起ユニット２８の上部伝動ケース３９を取付けた状態では、引起ユニット２８は上下回動し、懸架装置４３から上部伝動ケース３９を外すと、引起ユニット２８を前後移動可能になり、メンテナンス作業を行える。
【手続補正４】
【補正対象書類名】明細書
【補正対象項目名】０００７
【補正方法】変更
【補正の内容】
【０００７】
【発明の効果】
請求項１記載の発明によると、引起ユニット２８を上方回動させて刈刃１２の前側を開放し、刈取部４のメンテナンス作業を容易にできる。
請求項２記載の発明によると、上記請求項１記載の発明の効果に加え、前後移動用の動力手段と上下回動用の動力手段を兼用でき、製造コストを低くして安価に提供でき、また軽量化できる。
請求項３記載の発明によると、上記請求項１または２記載の発明の効果に加え、引起ユニット２８の前後移動と上下回動の際の振動を軽減させることができる。
請求項４記載の発明によると、前記請求項１または２または３記載の発明の効果に加えて、一層、刈取部４のフレーム剛性を向上させることができる。
請求項５記載の発明によると、前記請求項１または２または３または４記載の発明の効果に加えて、刈取部４が合理的構成となり、作業性を向上させることができる。